【手続補正書】
【提出日】令和2年12月16日(2020.12.16)
【手続補正１】
【補正対象書類名】明細書
【補正対象項目名】００７８
【補正方法】変更
【補正の内容】
【００７８】
本発明の第２９の実施態様では、本発明は、家具クッション材、テキスタイルインレイ、マットレス、自動車の座席、ヘッドレスト、アームレスト、スポンジ、ヘッドライニング、ドアトリム、シートカバー、または構成要素を製造するための実施態様２７または２８によるポリウレタン／ポリウレタンフォームに関する。
以上に説明してきたように、本発明は、以下の発明を包含する。
［１］  イソシアネート反応性水素原子を含有する化合物を、ジ−および／またはポリイソシアネートと、
ＮＣ−ＣＨＲ１−ＣＯＮＲ１２−Ｘ      （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋      （ＩＶ）、
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいＣ１−Ｃ８アルキル基、または置換されていてもよいていてもよいアリール基を表し、
−  Ｙは一価または二価のカチオンを表し、かつ
−  ｍは１または２を表す〕
からなる群より選択される１つ以上の化合物の存在下で反応させることによって、ポリウレタンを製造する方法。
置換されていてもよい置換されていてもよい
［２］  ポリウレタン、好ましくはポリウレタンフォームを製造する方法であって、
Ａ１  ≧１５〜＜２６０ｍｇ  ＫＯＨ／ｇのＤＩＮ５３２４０によるＯＨ価を有するイソシアネート反応性水素原子を含有する化合物、
Ａ２  任意で、≧２６０〜＜４０００ｍｇ  ＫＯＨ／ｇのＤＩＮ５３２４０によるＯＨ価を有するイソシアネート反応性水素原子を含有する化合物、
Ａ３  水および／または物理的発泡剤、
Ａ４  任意で、
ａ）触媒、
ｂ）界面活性添加物質、
ｃ）顔料および／または難燃剤
などの補助物質および添加物質、
Ａ５
ＮＣ−ＣＨＲ１−ＣＯＮＲ１２−Ｘ        （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋        （ＩＶ）
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいされていてもよいＣ１−Ｃ８アルキル基、または置換されていてもよいアリール基を表し、
−  Ｙは一価または二価のカチオンを表し、かつ
−  ｍは１または２を表す〕
からなる群より選択される１つ以上の化合物、ならびに
Ｂ  ジ−および／またはポリイソシアネート
を互いに反応させること含んでなる、方法。
［３］  １ｋｇの前記イソシアネート反応性水素原子を含有する化合物ならびに前記ジ−および／またはポリイソシアネートに対する前記化合物（Ｉ）〜（ＩＶ）の使用量が１〜１００ｇ、好ましくは５〜５０ｇであり（請求項１）、かつ１ｋｇの前記成分Ａ１およびＢに対する前記成分Ａ５の使用量が１〜１００ｇ、好ましくは５〜５０ｇ（請求項２）である、［１］または［２］に記載の方法。
［４］  Ａ１  ７５〜９９．０重量部（成分Ａ１〜Ａ４の重量部の総和に対する）の、≧１５〜＜２６０ｍｇ  ＫＯＨ／ｇのＤＩＮ５３２４０によるＯＨ価を有するイソシアネート反応性水素原子を含有する化合物、
Ａ２  ０〜１０重量部（成分Ａ１〜Ａ４の重量部の総和に対する）の、≧２６０〜＜４０００ｍｇ  ＫＯＨ／ｇのＤＩＮ５３２４０によるＯＨ価を有するイソシアネート反応性水素原子を含有する化合物、
Ａ３  ０．５〜２４．５重量部（成分Ａ１〜Ａ４の重量部の総和に対する）の水および／または物理的発泡剤、
Ａ４  ０．５〜１０重量部（成分Ａ１〜Ａ４の重量部の総和に対する）の、
ａ）  触媒、
ｂ）  界面活性添加物質、
ｃ）  顔料および／または難燃剤、
などの補助物質および添加物質、
Ａ５  １ｋｇの成分Ａ１およびＢ当たり１〜１００ｇ、好ましくは１ｋｇの成分Ａ１およびＢ（Ａ１とＢの和）当たり５〜５０ｇの、
ＮＣ−ＣＨＲ１−ＣＯＮＲ１２−Ｘ      （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋      （ＩＶ）
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいされていてもよいＣ１−Ｃ８アルキル基、または置換されていてもよいアリール基を表し、
−  Ｙは一価または二価のカチオンを表し、かつ
−  ｍは１または２を表す〕
からなる群より選択される１つ以上の化合物、ならびに
Ｂ  ジ−またはポリイソシアネート
を互いに反応させること含んでなり、
組成物中の成分Ａ１＋Ａ２＋Ａ３＋Ａ４の重量部の総和が合計で１００になるように、成分Ａ１〜Ａ４の報告されているすべての重量部は正規化されている、［２］または［３］に記載のポリウレタン、好ましくはポリウレタンフォームを製造する方法。
［５］  Ａ１  ２５〜４５重量部（成分Ａ１〜Ａ４の重量部の総和に対する）の、≧１５〜＜２６０ｍｇ  ＫＯＨ／ｇのＤＩＮ５３２４０によるＯＨ価を有するイソシアネート反応性水素原子を含有する化合物、
Ａ２  ２０〜７４重量部（成分Ａ１〜Ａ４の重量部の総和に対する）の、≧２６０〜＜４０００ｍｇ  ＫＯＨ／ｇのＤＩＮ５３２４０によるＯＨ価を有するイソシアネート反応性水素原子を含有する化合物、
Ａ３  ０．５〜２５重量部（成分Ａ１〜Ａ４の重量部の総和に対する）の水および／または物理的発泡剤、
Ａ４  ０．５〜１０重量部（成分Ａ１〜Ａ４の重量部の総和に対する）の、
ａ）  触媒、
ｂ）  界面活性添加物質、
ｃ）  顔料および／または難燃剤
などの補助物質および添加物質、
Ａ５  １ｋｇの成分Ａ１およびＢあたり１〜１００ｇ、好ましくは１ｋｇの成分Ａ１およびＢ（Ａ１とＢの和）あたり５〜５０ｇの、
ＮＣ−ＣＨＲ１−ＣＯＮＲ１２−Ｘ      （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋      （ＩＶ）
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいされていてもよいＣ１−Ｃ８アルキル基、または置換されていてもよいアリール基を表し、
−  Ｙは一価または二価のカチオンを表し、かつ
−  ｍは１または２を表す〕
からなる群より選択される１つ以上の化合物、ならびに
Ｂ  ジ−またはポリイソシアネート、
を互いに反応させること含んでなり、
組成物中の成分Ａ１＋Ａ２＋Ａ３＋Ａ４の重量部の総和が合計で１００になるように、成分Ａ１〜Ａ４の報告されているすべての重量部は正規化されている、［２］または［３］に記載のポリウレタン、好ましくはポリウレタンフォームを製造する方法。
［６］  ポリウレタン組成物における、またはポリウレタン、好ましくはポリウレタンフォームを製造する方法における、そこから生じるポリウレタン／ポリウレタンフォームのホルムアルデヒド放出を減少させるための、
ＮＣ−ＣＨＲ１−ＣＯＮＲ１２−Ｘ      （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋      （ＩＶ）、
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいＣ１−Ｃ８アルキル基、または置換されていてもよいアリール基を表し、
−  Ｙは一価または二価のカチオンを表し、かつ
−  ｍは１または２を表す〕
からなる群より選択される１つ以上の化合物の使用。
［７］  前記化合物（Ｉ）〜（ＩＶ）において、Ｒ１〜Ｒ１２がそれぞれ互いに独立して、ＨまたはＣ１−Ｃ６アルキル基を表す、［１］〜［６］のいずれか一項に記載の方法または使用。
［８］  Ｒ１、Ｒ２、Ｒ４、およびＲ５が互いに独立してＨを表す、［７］に記載の方法または使用。
［９］  前記イソシアネート反応性水素原子を含有する化合物（成分Ａ１）として、少なくとも２つの水酸基含有ポリエーテルが、任意で少なくとも２つの水酸基含有ポリエステルと混ざって使用される、請求項［１］〜［５］、［７］および［８］のいずれか一項に記載の方法。
［１０］  イソシアネート反応性水素原子を含有する化合物からなる前記成分（成分Ａ１）が、少なくとも３０重量％の、スターター、プロピレンオキシドおよびエチレンオキシドおよびエチレンオキシドからなるエンドブロックからなる少なくとも１つのポリオキシアルキレン共重合体を含有し、エチレンオキシドからなる前記エンドブロックの合計重量が、すべてのポリオキシアルキレン共重合体の合計重量に対して、平均で３〜２０重量％、好ましくは５〜１５重量％、特に好ましくは６〜１０重量％である、［１］〜［５］および［７］〜［９］のいずれか一項に記載の方法。
［１１］  前記ジ−および／またはポリイソシアネート成分（成分Ｂ）として、
ａ）  ４５重量％〜９０重量％の４，４’−ジフェニルメタンジイソシアネート、ならびに
ｂ）  １０重量％〜５５重量％の２，２’−ジフェニルメタンジイソシアネートおよび／または２，４’−ジフェニルメタンジイソシアネート、ならびに
ｃ）  ０重量％〜４５重量％のポリフェニルポリメチレンポリイソシアネート（「多環ＭＤＩ」）、および／または２，２’−、２，４’−、４，４’−ジフェニルメタンジイソシアネートをベースとする、および／もしくはｐＭＤＩをベースとするカルボジイミド、ウレトジオン、またはウレトジオンイミン
からなるジフェニルメタンジイソシアネート混合物が使用される、［１］〜［５］および［７］〜［１０］のいずれか一項に記載の方法。
［１２］  前記ジ−および／またはポリイソシアネート成分（成分Ｂ）として、
ａ）  ３５重量％〜４５重量％の４，４’−ジフェニルメタンジイソシアネート、ならびに
ｂ）  １重量％〜５重量％の２，２’−ジフェニルメタンジイソシアネートおよび／または２，４’−ジフェニルメタンジイソシアネート、ならびに
ｃ）  ５０重量％〜６４重量％のポリフェニルポリメチレンポリイソシアネート（「多環ＭＤＩ」）、および／または２，２’−、２，４’−、４，４’−ジフェニルメタンジイソシアネートをベースとする、および／もしくはｐＭＤＩをベースとするカルボジイミド、ウレトジオン、またはウレトジオンイミン
からなるジフェニルメタンジイソシアネート混合物が使用される、［１］〜［５］および［７］〜［１０］のいずれか一項に記載の方法。
［１３］  ［１］〜［５］および［７］〜［１２］のいずれか一項に記載の方法によって得られる、ポリウレタン／ポリウレタンフォーム。
［１４］  ４〜６００ｋｇ／ｍ３（軟質／半軟質ポリウレタンフォーム）、好ましくは６０〜１２０ｋｇ／ｍ３（軟質ポリウレタンフォーム）、および好ましくは１５〜５５ｋｇ／ｍ３（半軟質フォーム）の密度を有する、［１３］に記載のポリウレタン／ポリウレタンフォーム。
［１５］  家具クッション材、テキスタイルインレイ、マットレス、自動車の座席、ヘッドレスト、アームレスト、スポンジ、ヘッドライニング、ドアトリム、シートカバー、または構成要素を製造するための、［１３］または［１４］に記載の前記ポリウレタン／ポリウレタンフォームの使用。
【手続補正２】
【補正対象書類名】特許請求の範囲
【補正対象項目名】全文
【補正方法】変更
【補正の内容】
【特許請求の範囲】
【請求項１】
イソシアネート反応性水素原子を含有する化合物を、ジ−および／またはポリイソシアネートと、
ＮＣ−ＣＨＲ１−ＣＯＮＲ１２−Ｘ      （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋      （ＩＶ）、
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいＣ１−Ｃ８アルキル基、または置換されていてもよいていてもよいアリール基を表し、
−  Ｙは一価または二価のカチオンを表し、かつ
−  ｍは１または２を表す〕
からなる群より選択される１つ以上の化合物の存在下で反応させることによって、ポリウレタンを製造する方法。
置換されていてもよい置換されていてもよい
【請求項２】
ポリウレタン、好ましくはポリウレタンフォームを製造する方法であって、
Ａ１  ≧１５〜＜２６０ｍｇ  ＫＯＨ／ｇのＤＩＮ５３２４０によるＯＨ価を有するイソシアネート反応性水素原子を含有する化合物、
Ａ２  任意で、≧２６０〜＜４０００ｍｇ  ＫＯＨ／ｇのＤＩＮ５３２４０によるＯＨ価を有するイソシアネート反応性水素原子を含有する化合物、
Ａ３  水および／または物理的発泡剤、
Ａ４  任意で、
ａ）触媒、
ｂ）界面活性添加物質、
ｃ）顔料および／または難燃剤
などの補助物質および添加物質、
Ａ５
ＮＣ−ＣＨＲ１−ＣＯＮＲ１２−Ｘ        （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋        （ＩＶ）
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいされていてもよいＣ１−Ｃ８アルキル基、または置換されていてもよいアリール基を表し、
−  Ｙは一価または二価のカチオンを表し、かつ
−  ｍは１または２を表す〕
からなる群より選択される１つ以上の化合物、ならびに
Ｂ  ジ−および／またはポリイソシアネート
を互いに反応させること含んでなる、方法。
【請求項３】
ポリウレタン組成物における、またはポリウレタン、好ましくはポリウレタンフォームを製造する方法における、そこから生じるポリウレタン／ポリウレタンフォームのホルムアルデヒド放出を減少させるための、
ＮＣ−ＣＨＲ１−ＣＯＮＲ１２−Ｘ      （Ｉ）、
ＮＣ−ＣＨＲ２−ＣＯＮＲ３−アリール  （ＩＩ）、
ＮＣ−ＣＨＲ４−ＣＯ２Ｈ              （ＩＩＩ）、
［ＮＣ−ＣＨＲ５−ＣＯ２］ｍＹｍ＋      （ＩＶ）、
〔式中、
−  ＸはＮＲ６Ｒ７、ＯＲ８、ＣＯＮＲ９Ｒ１０、またはＣＯＯＲ１１を表し、
−  Ｒ１〜Ｒ１２はそれぞれ互いに独立して、Ｈ、置換されていてもよいＣ１−Ｃ８アルキル基、または置換されていてもよいアリール基を表し、
−  Ｙは一価または二価のカチオンを表し、かつ
−  ｍは１または２を表す〕
からなる群より選択される１つ以上の化合物の使用。
【請求項４】
前記化合物（Ｉ）〜（ＩＶ）において、Ｒ１〜Ｒ１２がそれぞれ互いに独立して、ＨまたはＣ１−Ｃ６アルキル基を表す、請求項１〜３のいずれか一項に記載の方法または使用。
【請求項５】
請求項１、２および４のいずれか一項に記載の方法によって得られる、ポリウレタン／ポリウレタンフォーム。
【請求項６】
家具クッション材、テキスタイルインレイ、マットレス、自動車の座席、ヘッドレスト、アームレスト、スポンジ、ヘッドライニング、ドアトリム、シートカバー、または構成要素を製造するための、請求項５に記載の前記ポリウレタン／ポリウレタンフォームの使用。